(57)【要約】      （修正有）【課題】発光管の内部に一対の主電極と、一対の始動補助電極を有し、該発光管の一端部の封止管に、封止用ガラス管が挿入溶着されてなるダブルエンド型ショートアークフラッシュランプにおいて、封止管と封止用ガラス管との溶着時に、その間に配置される始動補助電極の内部リードや外部リードが位置ずれすることなく、その先端の始動補助電極の正確な相対位置が得られ、内部リードや外部リードと金属箔との溶接箇所に損傷が生じず、かつ、位置固定のための余分な部品を必要とせずに封止管外径を小さくして遮光領域を小さくできるような構造を提供する。【解決手段】封止用ガラス管４と第２封止管３とが重なり合う領域におけるガラス管の外周には、管軸方向に伸びるリード収容溝部２１，２２が形成され、始動補助電極の内部リードと外部リードが、溝部に収容されるとともに、金属箔１７を介して互いに電気的に接続されることを特徴とする。【選択図】図１
2015088222.tif 000002
【特許請求の範囲】
【請求項１】
ガラス製の発光管の内部に一対の主電極と、一対の始動補助電極を有し、当該発光管の両端に第１封止管と第２封止管とを備え、
前記第１封止管には、第１の主電極の芯線が封止されて発光管外に導出され、
前記第２封止管には、その内部に挿入された封止用ガラス管が溶着され、該封止用ガラス管には、第２の主電極の芯線が封止されて発光管外に導出されてなるダブルエンド型ショートアークフラッシュランプにおいて、
前記封止用ガラス管と前記第２封止管とが重なり合う領域における前記ガラス管の外周には、管軸方向に伸びるリード収容溝部が形成され、
前記始動補助電極の内部リードと外部リードが、前記溝部に収容されるとともに、金属箔を介して互いに電気的に接続されていることを特徴とするダブルエンド型ショートアークフラッシュランプ。
【請求項２】
前記金属箔が、前記内部リードと外部リードの外側に設けられていることを特徴とする請求項１に記載のダブルエンド型ショートアークフラッシュランプ。
【請求項３】
前記封止用ガラス管の溝部が、先端側と後端側で不連続となっていることを特徴とする請求項１又は請求項２に記載のダブルエンド型ショートアークフラッシュランプ。
【請求項４】
前記封止用ガラス管は、前記第２封止管との溶着領域の外部側が縮径されていることを特徴とする請求項１〜３のいずれかに記載のダブルエンド型ショートアークフラッシュランプ。
【発明の詳細な説明】
【技術分野】
【０００１】
この発明はダブルエンド型ショートアークフラッシュランプに関するものであり、特に、一方の封止管部分が二重管構造とされたダブルエンド型ショートアークフラッシュランプに係わるものである。
【背景技術】
【０００２】
フラッシュ点灯を行う放電灯は、半導体製造工程におけるフラッシュアニールをはじめとした産業用途に広く用いられていて、本発明のランプは、特に真空紫外光を用いた露光工程に使用されるものである。
上記露光工程においては、小領域に高密度な光を短時間で照射でき、光の方向性や分布にムラが比較的少ない、平行光に近い光を使用することが求められる。
これまでに、同露光工程においては、特開２０１２−４３７３６号公報（特許文献１）に示されるような、真空管形状のフラッシュランプが主に使用されている。同ランプは、主電極間距離が一般的なフラッシュ点灯を行うランプと比べて小さく、点光源に近い光源として扱うことができる。
【０００３】
しかしながら、真空管構造を有するために、片側の端部に両主電極およびトリガ電極（始動用補助電極）を封じる必要があり、装置、電源への接続部（口金）を円柱状の構造とする場合、特に外径寸法が大きくなってしまう。このため、リフレクタなどを有する光学系内部に同ランプを用いる場合、口金構造などに起因する遮光領域が大きくなり、結果として、光学系からの光出力が低下する問題があった。
【０００４】
これらの問題に対し、特開２０１２−９４３６２号公報（特許文献２）では、ランプバルブの両側に封止部を配置する、いわゆるダブルシール型構造を用いることで、前述した遮光領域を小さくする技術が示されている。
図６に示すように、ダブルエンド型ショートアークフラッシュランプにおいて、発光管１の両端に第１封止管２と第２封止管３が連設されている。そして、前記第２封止管３には封止用ガラス管４が挿入されていて、両者は溶着されている。
発光管１内に一対の第１の主電極５と第２の主電極６とが対向配置されている。前記第１の主電極５は、その芯線７が第１封止管２に段継ガラスなどの手段により支持・封止されてその外方に導出されており、一方、前記第２の主電極６は、その芯線８が前記封止用ガラス管４に段継ガラスなどの手段により支持・封止されてその外方に導出されている。
発光管１内の主電極５、６の間には、一対の始動補助電極１０、１１が配設されていて、それぞれの内部リード１２、１５と外部リード１３、１６とが、前記第２封止管３と封止用ガラス管４との間の溶着領域において、金属箔１４、１７を介して電気的に接続されている。
【０００５】
このようなダブルエンド型ショートアークフラッシュランプによると、ランプバルブの両端部に封止部を配置することで、前述した遮光領域を小さくすることができるものとされている。
しかしながら、このようなランプでは、図７に示されるように、円筒状の第２封止管３と封止用ガラス管４との間に金属箔１４と内部リード１２が封止される構造であるので、封止時に内部リード１２、１５や外部リード１３、１６が円周方向で動きやすく、特に、内部リード１２、１５の位置調整、即ち、始動補助電極１０、１１の位置調整に労力を費やすことになるとともに、正確な相対位置がなかなか得られずに、大きくずれてしまうことがある。
その結果、始動補助電極１０、１１同士の間隔が所定値よりも広がったり、狭まったりする現象が生じて、ランプ始動時の放電を確実に発生させることが困難になるという問題があった。
【０００６】
更には、封止作業時に金属箔１４、１７と、内部リード１２、１５や外部リード１３、１６に位置ずれが生じると、金属箔と内部リードや外部リードとの溶接箇所が外れたり、箔切れが生じたりする場合もある。
このような位置ずれを解消しようして、図６に示すように、一対の内部リード１２、１５間に位置固定用のサポータ２０を設けて、始動補助電極１０、１１間の位置決めをする構成とすると、その構造が複雑になり、その上、第２封止管３の外径が大きくなってしまい、結果的にランプと装置を接続する口金径が大きくなり、その分だけ遮光領域が大きくなってしまうという問題もある。
【先行技術文献】
【特許文献】
【０００７】
【特許文献１】特開２０１２−４３７３６号公報
【特許文献２】特開２０１２−９４３６２号公報
【発明の概要】
【発明が解決しようとする課題】
【０００８】
この発明が解決しようとする課題は、上記従来技術の問題点に鑑みて、ガラス製の発光管の内部に一対の主電極と、一対の始動補助電極を有し、当該発光管の両端に第１封止管と第２封止管とを備え、前記第１封止管には、第１の主電極の芯線が封止されて発光管外に導出され、前記第２封止管には、その内部に挿入された封止用ガラス管が溶着され、該封止用ガラス管には、第２の主電極の芯線が封止されて発光管外に導出されてなるダブルエンド型ショートアークフラッシュランプにおいて、前記第２封止管と前記封止用ガラス管との溶着封止時に、これらの間に配置される始動補助電極の内部リードや外部リードが位置ずれすることなく、その先端の始動補助電極の正確な相対位置が得られ、内部リードや外部リードと金属箔との溶接箇所に損傷が生じず、かつ、位置固定のための余分な部品を必要とせずに封止管外径を小さくして遮光領域を小さくでき、その上、封止作業が簡便化されるような構造を提供することである。
【課題を解決するための手段】
【０００９】
上記課題を解決するために、この発明に係るダブルエンド型ショートアークフラッシュランプは、前記封止用ガラス管と前記第２封止管とが重なり合う領域における前記ガラス管の外周には、管軸方向に伸びるリード収容溝部が形成され、前記始動補助電極の内部リードと外部リードが、前記溝部に収容されるとともに、金属箔を介して互いに電気的に接続されていることを特徴とする。
また、前記金属箔が、前記内部リードと外部リードの外側に設けられていることを特徴とする。
また、前記封止用ガラス管の溝部が、先端側と後端側で不連続となっていることを特徴とする。
また、前記封止用ガラス管は、前記第２封止管との溶着領域の外部側が縮径されていることを特徴とする。
【発明の効果】
【００１０】
この発明のダブルエンド型ショートアークフラッシュランプによれば、第２封止管と封止用ガラス管とが重なり合う領域において、前記ガラス管の外周に管軸方向に伸びるリード収容溝部が形成されているので、この収容溝内に始動補助電極の内部リードおよび外部リードを収容することで、第２封止管と封止用ガラス管との溶着封止時に、内部リードや外部リードが位置ずれを起こすことがなく、封止作業が簡便化するとともに、始動補助電極の相対位置を正確なものとすることができる。
そのため、始動補助電極の位置決め部材が必要でなく、構造が簡略化するうえに、第２封止管の外径も小さなものとして遮光領域を小さくすることができる。しかも、金属箔と内部リードや外部リードとの溶接箇所の損傷という事故も未然に防げる。
【図面の簡単な説明】
【００１１】
【図１】本発明のダブルエンド型ショートアークフラッシュランプの断面図
【図２】図１のＡ−Ａ部分断面図
【図３】図２のＢ−Ｂ断面図
【図４】他の実施例の断面図
【図５】更に他の実施例の断面図
【図６】従来のダブルエンド型ショートアークフラッシュランプの断面図
【図７】図６のＡ−Ａ部分断面図
【発明を実施するための形態】
【００１２】
図１は本発明のダブルエンド型ショートアークフラッシュランプの全体の断面図であり、図２は、そのＡ−Ａ部分断面図、図３は、そのＢ−Ｂ断面図である。
図1に示され、かつ、図２および図３で詳細に示されるように、第２封止管３と封止用ガラス管４とが重なり合う領域において、前記封止用ガラス管４の外周には、リード収容溝部２１、２２が管軸方向に伸びるように形成されている。この溝部２１、２２は、一対の第１の始動補助電極１０および第２の始動補助電極１１に対応して、前記ガラス管４の外周の反対側にそれぞれ形成されている。
【００１３】
そして、第１の始動補助電極１０に接続された内部リード１２が、前記リード収容溝部２１に収容され、外部リード１３がリード収容溝部２２に収容されている。
同様に、前記第２の始動補助電極１１の内部リード１５がリード収容溝部２１に、外部リード１６がリード収容溝部２２に、それぞれ収容されている。
図２で明らかなように、前記内部リード１２と外部リード１３の半径方向の外側には金属箔１４が配置されていて、互いに溶接により固定されている。
同様に、内部リード１５と外部リード１６の半径方向の外側には、金属箔１７が配置されていて、互いに溶接により固定されている。
なお、その他の構成は、位置固定用のサポータ２０を除いて図６に示す構成と同様である。
【００１４】
第２封止管３と封止用ガラス管４の溶着封止時には、封止用ガラス管４の外周の収容溝部２１、２２内に内部リード１２、１５と、外部リード１３、１６を収容し、これらに溶接固定された金属箔１４、１７がガラス管４の外周面に沿うように配設する。これを第２封止管３内に挿入して、該第２封止管３の外部から加熱して、両者を溶着するものである。
こうすることで、内部リード１２、１５および外部リード１３、１６の封止用ガラス管４上での位置が固定されて位置ずれを起こすことがなく、その結果として始動補助電極１０、１１の正確な位置決めがなされる。
また、金属箔１４、１７を内部リード１２、１５と外部リード１３、１６の外側に配置することで、第２封止管３の溶着時にリード周辺に空隙が生じることがない。
【００１５】
なお、リード収容溝部２１、２２は、管軸方向で連続して形成されていても構わないが、図３に示すように、互いに管軸方向で不連続として独立した溝部とすることで、発光管１内の発光ガスが該溝部を経由して外部に漏洩することをより完全に防止できる。また、溝部２１の後端に内部リード１２、１５の後端を当接させることで、始動補助電極１０、１１の軸方向位置を正確に位置決めできる。
【００１６】
図４は他の実施例であり、図１の実施例との相違は、封止用ガラス管４が、前記第２封止管３から後方に突出した外側部Ａが、縮径されていることである。つまり、封止用ガラス管４における、第２封止管３との重なり合う領域での径よりも、後方（外部側）の領域Ａでの径のほうが小さくなった後方縮径部４ａが形成されている。
このように封止用ガラス管４に後方縮径部４ａを形成して段差を付けることにより、リード収容溝部２２内に収容された外部リード１３、１６の後方（外部）への導出が容易になる。
【００１７】
図５は更に他の実施例であって、図４の実施例における封止用ガラス管４の後方縮径部４ａを更に小さな径としたものであって、こうすることで、外部リード１３、１６の後方への導出がより一層容易になる。ただ、この場合、封止用ガラス管４の後端は段継ガラスによって電極芯線８と封止されるので、この段継ガラスの設計上および作業上の理由で縮径部４ａの径よりも大きくなっている。
【００１８】
以上説明したように、本発明に係るダブルエンド型ショートアークフラッシュランプでは、第２封止管と封止用ガラス管との重なり合う領域において、前記ガラス管の外周に管軸方向に伸びるリード収容溝部が形成されているので、始動補助電極に接続される内部リードと、これに金属箔を介して接続される外部リードとを、この溝部に収容することで、第２封止管とガラス管との溶着時にリードが移動することがなく、溶着作業が著しく簡略化される。そして、内部リードの位置が動かないことで、その先端の始動補助電極の位置が安定的に正確となり、ランプ始動時に主電極間での放電を確実に発生させることができる。
また、内部リードおよび外部リードと、金属箔との間に不所望な力が作用することがなく、溶接部の離脱や金属箔の箔切れが生じることもない。
更には、内部リードに位置固定用のサポータを設ける必要もなく、構造が簡略化されるとともに、第２封止管の径を大きなものとする必要もなく、そのため、遮光領域が大きくなることもない。
【符号の説明】
【００１９】
１        発光管
２        第１封止管
３        第２封止管
４        封止用ガラス管
５        第１の主電極
６        第２の主電極
７        第１の主電極の芯線
８        第２の主電極の芯線
１０      第１の始動補助電極
１１      第２の始動補助電極
１２      第１の始動補助電極の内部リード
１３      第１の始動補助電極の外部リード
１４      金属箔
１５      第２の始動補助電極の内部リード
１６      第２の始動補助電極の外部リード
１７      金属箔
２１、２２  リード収容溝部
【図１】
2015088222.tif 000003
【図２】
2015088222.tif 000004
【図３】
2015088222.tif 000005
【図４】
2015088222.tif 000006
【図５】
2015088222.tif 000007
【図６】
2015088222.tif 000008
【図７】
2015088222.tif 000009
【手続補正書】
【提出日】平成26年12月22日(2014.12.22)
【手続補正１】
【補正対象書類名】特許請求の範囲
【補正対象項目名】請求項４
【補正方法】変更
【補正の内容】
【請求項４】
前記封止用ガラス管は、前記第２封止管との溶着領域より外部側が縮径されていることを特徴とする請求項１〜３のいずれかに記載のダブルエンド型ショートアークフラッシュランプ。